(57)【要約】【課題】撮影した画像にホーム時間と現地時間を重畳表示可能なワールドオートカレンダー機能を有する撮像装置の提供。【解決手段】撮像装置は、ワールドオートカレンダー機能が選択されると、再生モードで画像を再生／表示すると共に、記録されているホーム国基準の撮像日時を取り出しホーム国名と共に画面に重畳表示する（Ｕ１）。ここで、撮影国が指定されている場合には（Ｕ２）、登録されているホーム国基準時差テーブルから撮影国との時差を取り出して、撮影国での撮影時間を算出し（Ｕ３）、撮影国名および撮影国での撮像日時を再生画像と重畳表示する（Ｕ４）。撮影国の訂正を要する場合には（Ｕ５）、撮影国登録画面を表示して撮影国の指定を促し（Ｓ６）、撮影国が指定されると（Ｕ７）、撮影国コードを登録してＵ３に遷移する（Ｕ８）。上記Ｕ２で、撮影国が指定されていない場合で撮影国を設定する場合にはＵ６に移行する（Ｕ９）。【選択図】      図７
2006148952.tif 000002
【特許請求の範囲】
【請求項１】
撮像素子で取込んだ画像を所望のタイミングで撮像／記録する撮像装置において、
設定された基準時間に基づく基準撮像日時を画像データと対応させて登録する基準撮像日時登録手段と、
画像の撮像時または撮像後の任意のタイミングで当該画像の撮影場所が指定されたとき、指定された撮影場所を該画像と関連づけて登録する撮影場所登録手段と、
前記基準撮像日時と前記撮影場所から該撮影場所での撮像日時を算出する撮影場所基準撮像日時計算手段と、を備え、
画像再生時に、前記算出した撮影場所基準撮像日時を再生画像と共に表示することを特徴とする撮像装置。
【請求項２】
画像再生時に、前記算出した撮影場所基準撮像日時および基準撮像日時を再生画像と共に表示するように構成したことを特徴とする請求項１に記載の撮像装置。
【請求項３】
撮像素子で取込んだ画像を所望のタイミングで撮像／記録し、
基準時間を設定しこれに基づいた基準撮像日時を画像データと対応させて登録し、
上記画像の撮影場所を丁して該画像と関連づけて登録し、
上記基準撮像日時と撮影場所からその場所での撮影日時を算出し、
算出した撮影場所基準撮影日時を再生画像又は基準撮像日時を、再生画像と共に表示することを特徴とする撮像日時表示方法。
【発明の詳細な説明】
【技術分野】
【０００１】
本発明は、カメラ等の撮像装置によって撮影した画像の撮像日時の表示補助技術に関する。
【背景技術】
【０００２】
カメラ等の撮像装置の多くは撮影画像または表示画像に撮像日時を付加して表示できる。撮像日時は、撮像装置が内蔵するタイマーに連動するカレンダーモジュール（日付生成モジュール）によって生成する日付を、シャッター動作時に内部メモリに一時記憶して、銀塩カメラではフィルム上に、デジタルカメラ等の電子カメラ装置では画像記録用メモリに撮影した画像と対応づけて固定（記録）する。
【０００３】
海外旅行や海外出張の際にカメラを持参して撮影を行なう場合があるが、カメラの多くはこのような場合に現地時間にカメラの時間をあわせるための調整機能を有しており、旅行者は現地の時計に合わせて調整ボタンを操作して時間の再設定を行なうことができる。このようにして時間再設定を行なったカメラでの撮影画像には現地時間での撮像日時が表示される。
【発明の開示】
【発明が解決しようとする課題】
【０００４】
しかしながら、旅行者はしばしばカメラの時計の現地時間への再設定を忘れることがある。例えば、欧州や中東を旅行する場合のように一カ国だけでなく、複数の国をあちこちと巡るような場合にカメラの時間設定を忘れがちである。
【０００５】
そして、時間設定をしないままに撮影を行なうとカメラに設定されているままの時間が撮影画像に表示され、実際には何時撮った写真かがわからなくなるという不具合が生じていた。例えば、日本人がフランスに旅行し、カメラをフランスの時間に再設定することを忘れて撮影を行なった場合には日本時間が記録され、次に、その旅行者がイギリスに行って撮影するとやはり日本時間が記録されるので、画像では昼間の風景であるが撮影時間は真夜中となっているといった問題も生じていた。
【０００６】
また、旅行者が日付変更線を往来して撮影を行なった場合には、その都度現地時間に時間再設定を行なっていたとしてもズレが生じて撮像日時に矛盾が生ずることもあった。
【０００７】
本発明は、上記不都合および問題点を解消するためになされたものであり、撮影した画像にホーム時間と現地時間を重畳表示可能なワールドオートカレンダー機能を有する撮像装置の提供を目的とする。
【課題を解決するための手段】
【０００８】
上記の目的を達成するために第１の発明の撮像装置は、撮像素子で取込んだ画像を所望のタイミングで撮像／記録する撮像装置において、設定された基準時間に基づく基準撮像日時を画像データと対応させて登録する基準撮像日時登録手段と、画像の撮像時または撮像後の任意のタイミングで当該画像の撮影場所が指定されたとき、指定された撮影場所を該画像と関連づけて登録する撮影場所登録手段と、前記基準撮像日時と前記撮影場所から該撮影場所での撮像日時を算出する撮影場所基準撮像日時計算手段と、を備え、画像再生時に、算出した撮影場所基準撮像日時を再生画像および基準撮像日時と共に表示することを特徴とする。
【０００９】
上記発明において、画像再生時に、前記算出した撮影場所基準撮像日時および基準撮像日時を再生画像と共に表示するように構成してもよい。
【００１０】
また本発明の撮像日時表示方法は、撮像素子で取込んだ画像を所望のタイミングで撮像／記録し、準時間を設定しこれに基づいた基準撮像日時を画像データと対応させて登録し、上記画像の撮影場所を丁して該画像と関連づけて登録し、上記基準撮像日時と撮影場所からその場所での撮影日時を算出し、算出した撮影場所基準撮影日時を再生画像又は基準撮像日時を、再生画像と共に表示することを特徴とする。
【発明の効果】
【００１１】
以上説明したように本発明によれば、撮像時間の基準とするホーム国を設定して、撮影国の登録があった場合に撮影国での撮像時間をホーム国基準の撮像時間を基に計算して、ホーム国基準の撮像時間と撮影国基準の撮像時間を表示できるので、国外出張や国外旅行時に撮影国時間を設定し忘れても自動記録されたホーム時間を基に撮影国の時間を表示できる。
また、日付変更線を往来しても撮影国での撮影日時にズレが生じてもホーム時間が基準になっているので撮影順に画像を管理することができる。
【発明を実施するための最良の形態】
【００１２】
＜回路構成＞
図１は本発明の撮像装置の一実施例の回路構成を示すブロック図であり、撮像装置としてデジタルカメラを例としている。
【００１３】
デジタルカメラ１００は撮像部１１，信号処理部１２，ＤＲＡＭ１３，フラッシュメモリ１４，表示部１５，ＯＳＤデータ用ＲＯＭ１６，Ｉ／Ｏインターフェイス１７，制御部２０，および操作部３０を有している。
【００１４】
撮像部１１は、被写体の光学像を得てそれをＣＣＤ等の撮像素子により電気信号に変換しデジタル化して後段の信号処理部１２に出力する。
【００１５】
信号処理部１２は、信号変換部１２からの出力をカラープロセス処理して、デジタルの輝度、色差マルチプレクス信号（ＹＵＶデータ）とし、ＹＵＶデータをＤＲＡＭ１２の指定領域にＤＭＡ（ダイレクトメモリアクセス）転送し、展開する。また、信号処理部１２は記録保存の際にＤＲＡＭ１３に書込まれているＹＵＶデータを読み出してＪＰＥＧ圧縮処理を施す。信号処理部１２は、また、フラッシュメモリ１５に保存記録されている画像データに伸張処理を施してＹＵＶデータを再生する。
【００１６】
ＤＲＡＭ１３は、撮影画像データや再生画像データを一時的に記憶する他、本発明のワールドオートカレンダー生成モジュールでホーム国や撮影国等を設定する際の世界地図データ等の画面表示フォーマット用データ等を一時記憶する。
【００１７】
フラッシュメモリ１４は信号処理部１３からの画像データを記録する。また、フラッシュメモリ１４には、画像データを記憶する領域の他に、画像データとその撮像日時や撮影条件等を関連づけて登録する画像情報登録リスト６０を記憶する領域や、後述のホーム国設定手段１１０により生成されるホーム基準時差テーブル７０’を記録する領域が確保されている。
【００１８】
表示部１５は液晶表示素子からなる画面を有する表示装置から構成されており、撮像時には被写体画像や選択画面およびアイコン等が表示される。また、再生モード時には再生画像および撮像日時等を表示できる。なお、表示部１５の液晶表示素子からなる画面の上に透明な薄膜からなるタッチ電極パネル等のタッチ入力パネルを設け、タッチペンや指でポイント可能に構成してもよい。
【００１９】
ＲＯＭ１６には、表示部１５に表示するＯＳＤ（0n Screen Display;挿入表示）用の記号や、世界地図データや、標準時差テーブル７０等が登録されている。
【００２０】
制御部２０は図１（ｂ）に示すように、ＣＰＵ２１、ＲＡＭ２２、ＲＯＭ２３およびタイマー２４を有している。
ＣＰＵ２１は、上述の各回路等にバスラインを介して接続し、ＲＯＭ２３に格納されている制御プログラムによりデジタルカメラ１００全体の制御を行なうと共に、操作部３０からの状態信号に対応してデジタルカメラの各機能の実行制御、例えば、ホーム国設定手段１１０，撮影国登録手段１２０，撮影時間設定手段１３０，およびワールドカレンダー出力手段１４０等の実行によるホーム国の設定，撮影国の設定，撮像日時の設定および撮像日時の表示等や、ＲＯＭ２３内に格納された再生手段の実行による記録画像の再生処理の他、ＲＯＭ２３内に格納された各処理手段の実行による各機能の実現のための実行制御を行なう。
ＲＡＭ２２は内部メモリに相当し、プログラム、データおよび処理結果の一時記憶および中間作業領域等に用いられる。
ＲＯＭ２３は上述の制御プログラムおよびデジタルカメラ１００のその他の各機能を実行させるためのプログラムを記録する記録媒体であり、ＰＲＯＭ、ＦＲＯＭ（フラッシュＲＯＭ）等が用いられる。
【００２１】
操作部３０は、カーソル移動ボタン３６，撮影国指定ボタン３７，およびシャッターボタン３８の他、機能選択用ボタン（複数個）、メインスイッチ、記録／再生モード切換えスイッチ等（図示せず）のスイッチやボタンを構成部分とし、これらのスイッチ或いはボタンが操作されると状態信号がＣＰＵ２１に送出される。
【００２２】
＜画像情報登録リスト＞
図２（ａ）は画像情報登録リストの一実施例の構造を示す説明図である。画像情報登録リスト６０には、被写体画像をフラッシュメモリ１４に記録する際に、図２に示すように画像番号欄６１，撮像日時欄６２、撮影国欄６３およびその他必要情報を登録する欄が設けられており、フラッシュメモリ１４に記録されている。
【００２３】
画像番号欄６１には、記録された画像の画像番号またはフラッシュメモリ１４上の記録位置（記憶アドレス）が記録時に登録される。また、撮像日時欄６２には被写体像の撮影時にタイマー２４からの時刻信号を基にカレンダーモジュールにより後述のホーム基準での撮像日時が設定／記録される。また、撮影国欄６３には’００’が初期設定されているが、撮影国を指定した場合には撮影国登録手段１２０により撮影国（国または基準時間の異なる地域をいう）のコードが記録される。なお、撮影国欄６３は後述の撮影国指定手段１２０により更新される。
【００２４】
図２（ｂ）は画像情報登録リストの他の実施例の構造を示す説明図であり、画像情報登録リスト６０’は、図２（ａ）の画像情報登録リスト６０に撮影国撮像日時欄６４を付加した構造をなしており、撮影国撮像日時欄６４には撮像日時欄６２に記録されたホーム国基準の撮像日時を基に算出される撮影国基準の撮像日時が登録される。
【００２５】
＜時差テーブル＞
図３は時差テーブルの一実施例の構造を示す説明図であり、（ａ）は標準時間テーブルデータ７０の構造を示し、（ｂ）はホーム基準時差テーブル７０’の構造を示す。
【００２６】
標準時差テーブルデータ７０はイギリスを基準として他の国との時差を登録した時差テーブルデータであり、国名コード欄７１，国名欄７２および時差欄７３を有しており、ＲＯＭ１６に格納されている。
国名コード欄７１には国コード（同一国で基準時間が異なる地域がある場合はそれぞれの地域コード）が登録されている。また、国名欄７２には国名が登録されるが、同一国で基準時間が異なる地域がある場合のそれぞれの地域名称が登録される。また、時差欄７３にはグリニッチ時刻０時を基準とする標準時差値が登録されている。
【００２７】
ホーム基準時差テーブル７０’は、ホーム国設定手段１１０によるホーム国設定時に標準時差テーブル７０を基に生成される時差テーブルであり、国名コード欄７１，国名欄７２および時差欄７３’を有しており、生成後はフラッシュメモリ１４に記録され、撮像時の撮影国基準での撮像日時決定および再生画像の表示時に表示される撮影国基準の撮像日時データの作成、および画像データの出力時の撮影国基準の撮像日時データの作成時に用いられる。
【００２８】
ホーム基準時差テーブル７０’は、標準時差テーブル７０の各国毎のテーブルレコードをホーム国を先頭として所定の順序に並び替えたものであり、時差欄７３’にはホーム国からの時差を記録する。図３（ｂ）の例は日本をホーム国として設定した例であり、時差欄７３’には日本との時差がホーム国設定手段１１０によって計算され、それぞれ登録されている。なお、図３で標準時差テーブルデータ７０およびホーム基準時差テーブル７０’に地域コード欄および地域コード欄を設けて各国別に地域コードおよび地域名を登録するようにしてもよい。この場合、画像情報登録リスト６０の撮影国欄には撮影国のコードに指定された地域のコードを付加して登録するようにする。
【００２９】
＜実施例１＞
［ワールドオートカレンダー生成モジュール］
図４は、ワールドオートカレンダーを生成する各モジュール（手段）の関係を示すブロック図である。なお、これらの各モジュール（手段）はハードウエア回路で構成してもよいが、本実施例ではプログラムで構成し、ＲＯＭ２３（或いはフラッシュメモリ１４かＲＯＭ１６）に格納している。なお、上記各モジュール（手段）の一部をハードウエア回路で構成し、他をプログラムで構成するようにしてもよい。
【００３０】
図４で、ホーム国設定手段１１０はデジタルカメラ１００の初期設定時（出荷時、販売時或いは購入時）に起動され、通常時にはホーム国変更の場合を除いて起動されない。具体的には、ホーム国設定手段１１０はデジタルカメラ１００の初期設定時に（出荷時に行なう場合にはメーカ側担当者、販売時に行なう場合には販売店の担当者、購入時に行なう場合には使用者）が、カメラ底部等に設けられた初期設定用パネル内のボタンを操作すると起動され、指定された国を撮像日時設定用のホーム国とし、ＲＯＭ１６から標準時間テーブルデータ７０（図３（ａ））を読み出してＲＡＭ２２にテーブル展開し、ホーム国を基準としたホーム国標準時差テーブル７０’（図３（ｂ））を生成してフラッシュメモリ１４に登録する（図５）。
【００３１】
撮影国登録手段１２０は、撮影国を任意のタイミングで設定でき、また、更新できる。カメラの使用者がカーソル移動ボタン３６および撮影国指定ボタン３７を操作して表示部１５の画面上で指定すると、画像情報登録リスト６０の撮影国欄６３に撮影国のコードを登録する（図６）。
また、撮影前に撮影国を設定しなかった場合でも画像の再生時に表示された画像を見て撮影国を（思い出してから）設定することができる（同様に、数か国の間を移動して撮影を行なった場合に途中で撮影国の再設定を行なわなかった場合にも画像を再生／表示してから撮影国を再設定して訂正することができる）。すなわち、画像情報登録リスト６０の撮影国欄６３にあとで設定した撮影国のコードを登録できる。
【００３２】
撮像日時登録手段１３０は、撮影時にタイマー２４からの時刻信号をもとにカレンダーモジュール（日付生成モジュール）を用いて日付を生成し、時差を０としたホーム国基準の撮像日時を生成し、画像情報登録リスト６０の撮像日時欄６２に記記録する画像と対応付けて登録する。
【００３３】
ワールドオートカレンダー出力手段１４０は、撮影国基準日時計算手段１４１，日時表示手段１４２，および日時出力手段１４３を有しており、記録画像の再生時に撮影国が設定されている場合（画像情報登録リスト６０の撮影国欄６３≠’００’の場合）にホーム国基準の撮像日時と撮影国基準の撮像日時を出力し、撮影国が設定されていない場合にはホーム国基準の撮像日時だけを出力する。
【００３４】
撮影国基準日時計算手段１４１は記録画像の再生時に撮影国が設定されている場合（或いは、再生後撮影国が設定されたり再設定された場合）に画像情報登録リスト６０の撮像日時（ホーム国基準）を読み出して、ホーム国基準時差テーブル７０’の撮影国との時差を加算してホーム国基準の撮像日時を算出してそれをホーム国基準時差テーブル７０’から取り出した撮影国名と共にＲＡＭ２２に一時記憶する。なお、加算結果である時間ＴがＴ＜０またはＴ＞２４のときにはカレンダーモジュールを用いて日付を生成しなおす。また、撮影国が設定されていない場合にはホーム国名および撮影国基準の撮像日時を空白値で表現してＲＡＭ２２に一時記憶する。
【００３５】
日時表示手段１４２は、再生画像を表示部１５に表示する（ホーム国名およびホーム国基準の撮像日時も画像と共に表示される）ときに、ＲＡＭ２２に一時記憶した撮影国名および撮影国基準の撮像日時を再生画像に重畳表示する（図１１）。
【００３６】
また、日時出力手段１４３は、再生画像を外部装置に出力（送信）するときに、画像データと共に、ホーム国名およびホーム国基準の撮像日時データとＲＡＭ２２に一時記憶した撮影国名および撮影国基準の撮像日時データをＩ／Ｏインターフェイス１７を介して外部装置に出力する（但し、ＲＡＭ２２に記憶した撮影国名および撮影国基準の撮像日時データが空白データの場合にはホーム国名およびホーム国基準の撮像日時データだけを出力する）。
【００３７】
＜ワールドオートカレンダ機能付撮像装置の動作例＞
図５〜図７はワールドオートカレンダ機能付撮像装置の動作例を示すフローチャートであり、図５はホーム国設定動作例を示すフローチャート、図６は撮影国登録動作例を示すフローチャート、図７はワールドオートカレンダ表示動作例を示すフローチャートである。
【００３８】
［ホーム国設定動作例］
図５で、カメラ底部等に設けられた初期設定用パネル内のホーム国設定ボタン（図示せず）を押すとホーム国設定手段１１０が起動され、ＲＯＭ１６からホーム国設定用フォーマットデータ（実施例では世界地図データ）を取り出してＤＲＡＭ１３に一時記憶してから、図１０に示すようなホーム国設定用画面およびカーソルを表示する（Ｓ１）。
【００３９】
使用者がカーソル移動ボタン３６を操作してカーソルを移動させホーム国８１を指定するとホーム国名（図１０の例では「日本」）８２が表示される。ホーム国設定ボタンを再度押すと確認がされたものとしてＳ４に遷移する（Ｓ２）。表示された国名が所望のホーム国の国名でない場合にはＳ１に戻って更にカーソルを移動させてホーム国を指定し直す（Ｓ３）。
【００４０】
ホーム国が指定されると、ＣＰＵ２１はＲＯＭ１６から標準時間テーブルデータ７０を読み出してＲＡＭ２２にテーブル展開し、ホーム国を基準としたホーム国標準時差テーブル７０’（図３（ｂ））を作成してフラッシュメモリ１４に登録する（Ｓ４）。
上記動作によりホーム国が設定されると撮影した画像をフラッシュメモリ１４に記録するときに画像登録リスト６０の撮像日時欄６２にホーム国基準の撮像日時が登録される（撮影国が設定されても撮像日時欄６２にはホーム国基準の撮像日時が登録される）。なお、表示部１５の画面上にタッチ入力用のパネルを設け、タッチペンまたは指でホーム国を指定できるようにしてもよい。
【００４１】
［撮影国登録動作例］
図６で、使用者がモード選択画面で撮影国登録を選択すると（Ｔ０）、図１０に示すような撮影国登録画面（図１０の例では、撮影国登録画面＝ホーム国設定画面）が表示され、使用者の指定を促す（Ｔ１）。この場合、ホーム国８１の位置を点滅表示するようにしてもよい。
【００４２】
使用者がカーソル移動ボタン３６を操作してカーソルを移動させ撮影国８２を指定すると撮影国名（例えば「ベルギー」）８３が表示される。撮影国指定ボタン３７を押すと確認がされたものとしてＴ４に遷移する。表示された国名が撮影国の国名でない場合にはＴ２に戻って更にカーソルを移動させてホーム国を指定し直す（Ｔ３）。
【００４３】
撮影国が指定されると、ＣＰＵ２１は画像情報リスト６０の撮影国欄６３に撮影国コードを登録する。撮影国コードは撮影国の指定の際に表示される撮影国名と対応してＲＡＭ２２に一時記憶されているので、それを読み出して画像情報リスト６０の撮影国欄６３に登録する（Ｔ４）。
【００４４】
［ワールドオートカレンダ表示動作例］
記録した画像を再生して表示或いは出力する再生モードが指定されると（Ｕ０）、画像が再生されて表示部１５に表示される。また、このとき、画像情報登録リスト６０の撮像日時欄６２からホーム国基準の撮像日時を取り出しホーム国名と共に画面に重畳表示する（Ｕ１）。
また、撮影国欄６３から撮影国コードを取り出して’００’か否かを調べ、’００’の場合は撮影国が設定されていないものとしてＵ９に遷移する（Ｕ２）。
【００４５】
上記Ｕ２で、撮影国欄６３が’００’以外の場合またはＵ７から遷移した場合には撮影国登録済みとして撮影国欄６３の内容をキーとしてホーム国基準時差テーブル７０’をサーチしてホーム国との時差を取り出して、撮影国での撮影時間を算出し（Ｕ３）、撮影国名および算出された撮影国での撮像日時を図１１の例に示すように表示部１５に表示（再生画像と重畳表示）する（Ｕ４）。撮影国指定ボタン３７が押れたか否かを調べ、撮影国指定ボタン３７が押れた場合には表示された撮影国の訂正を要するものとしてＵ６に移行し、訂正を要しない場合には処理を終了する（Ｕ５）。
【００４６】
上記Ｕ５またはＵ９で撮影国指定ボタン３７が押れた場合には、図１０に示すような撮影国登録画面が表示される（Ｕ６）。そこで、使用者がカーソルボタン３６を操作してカーソルを移動させ、撮影国指定ボタン３７を押すと（Ｕ７）、撮影国が指定されたものとして画像情報登録リスト６０の撮影国欄６３に撮影国コードが登録され、Ｕ３に遷移する（Ｕ８）。
上記Ｕ２で、撮影国欄６３の撮影国コードが’００’の場合は、撮影国指定ボタン３７が押れたか否かを調べ、撮影国指定ボタン３７が押れた場合には撮影国の設定を要するものとしてＵ６に移行し、訂正を要しない場合には処理を終了する（Ｕ９）。
【００４７】
＜実施例２＞
図８はワールドオートカレンダーを生成する各モジュール（手段）の関係を示すブロック図であり、ホーム国設定手段１１０およびワードオートカレンダー１４０の構成及び動作は図４の場合と同様である。
【００４８】
撮影国登録手段１２０’は、撮影国登録手段１２１と撮像日時算出手段１２２からなり、撮影国および撮影国基準の撮像日時を任意のタイミングで登録でき、また、更新できる。
カメラの使用者が、カーソル移動ボタン３６および撮影国指定ボタン３７を操作して表示部１５の画面上で撮影国を指定すると、撮影国登録手段１２１により画像情報登録リスト６０’の撮影国欄６３に撮影国のコードが登録される。
【００４９】
次に、撮像日時算出手段１２２は指定された撮影国のコードでホーム国基準時差テーブル７０’をサーチしてホーム国との時差を取り出して撮影国基準の撮像日時を算出し、画像情報登録リスト６０’の撮影国撮像日時欄６４に登録する。
【００５０】
また、撮影前に撮影国を設定しなかった場合でも画像の再生時に表示された画像を見て撮影国および撮影国での撮像日時を設定することができる（同様に、数か国の間を移動して撮影を行なった場合に途中で撮影国の再設定を行なわなかった場合にも画像を再生／表示してから撮影国を再設定して撮影国および撮影国での撮像日時を訂正することができる）。すなわち、画像情報登録リスト６０の撮影国欄６３および撮影国撮像日時欄６４にあとで設定した撮影国のコードおよび撮影国での撮像日時を登録できる。
【００５１】
撮像日時登録手段１３０は、撮影時にタイマー２４からの時刻信号をもとにカレンダーモジュール（日付生成モジュール）を用いて日付を生成し、時差を０としたホーム国基準の撮像日時を生成し、画像情報登録リスト６０’の撮像日時欄６２に記録する画像と対応付けて登録する。
【００５２】
図９は図８の撮影国登録手段１２０’の動作例を示すフローチャートであり、ステップＴ０〜Ｔ４は図６の撮影国登録手段１２０の動作と同様である。
Ｔ４で撮影国コードが画像情報登録リスト６０’の撮影国欄６３に登録されると、それをキーとしてホーム国基準時差テーブル７０’がサーチされて撮影国の時差が取り出されて、撮影国基準の撮像日時が算出され（Ｔ５）、画像情報登録リスト６０’の撮影国撮像日時欄６４に登録される（Ｔ６）。
【００５３】
図１０はホーム国および撮影国登録画面の一実施例を示す図であり、ホーム国／撮影国登録画面として表示部１５に世界地図を表示し、ホーム国設定の場合にはカーソルでホーム国８１を指定するとホーム国名８２が表示されホーム国を設定できる（図１０の例では、ホーム国８１として「日本」が指定されている）。また、撮影国登録の場合にはカーソルで撮影国８２を指定することができる。この場合にはホーム国８１が点滅表示され、また、撮影国名が表示される。
【００５４】
図１１は本発明のワールドオートカレンダー表示の一実施例を示す図であり、ホーム国（日本）基準の撮像日時および撮影国（中国）基準の撮像日時を画像に重畳して表示した例である。
【００５５】
図１２は記録した画像の撮影国をホーム国の撮影日付順に表示した例であり、本発明によれば、この例に示すように短期間に数か国を巡って撮影を行なったような場合にホーム時間を基準にして撮影国の撮像日時を表示し、撮影順に画像を管理することもできる。なお、本発明において、「日時」は「日にち」又は「時間」のいずれか、もしくは両方を意味する。
【００５６】
以上本発明の一実施例について説明したが、本発明は上記実施例に限定されるものではなく、種々の変形実施が可能であることはいうまでもない。
【図面の簡単な説明】
【００５７】
【図１】本発明の撮像装置の一実施例の回路構成を示すブロック図である。
【図２】画像情報登録リストの一実施例の構造を示す説明図である。
【図３】時差テーブルの一実施例の構造を示す説明図である。
【図４】ワールドオートカレンダーを生成する各モジュール（手段）の関係を示すブロック図である。
【図５】ホーム国設定動作例を示すフローチャートである。
【図６】撮影国登録動作例を示すフローチャートである。
【図７】ワールドオートカレンダ表示動作例を示すフローチャートである。
【図８】ワールドオートカレンダーを生成する各モジュール（手段）の関係を示すブロック図である。
【図９】撮影国登録動作例を示すフローチャートである。
【図１０】ホーム国および撮影国登録画面の一実施例を示す図である。
【図１１】本発明のワールドオートカレンダー表示の一実施例を示す図である。
【図１２】オプション表示（撮影順表示）の一実施例を示す図である。
【符号の説明】
【００５８】
１００  撮像装置
１２０，１２０’  撮影国登録手段（撮影場所登録手段）
１３０，１３０’  撮像日時登録手段（基準撮像日時登録手段）
１２１  撮像日時算出手段（撮影場所基準撮像場所計算手段）
１４１  撮影国基準日時計算手段（撮影場所基準撮像場所計算手段）
【図１】
2006148952.tif 000003
【図２】
2006148952.tif 000004
【図３】
2006148952.tif 000005
【図４】
2006148952.tif 000006
【図５】
2006148952.tif 000007
【図６】
2006148952.tif 000008
【図７】
2006148952.tif 000009
【図８】
2006148952.tif 000010
【図９】
2006148952.tif 000011
【図１０】
2006148952.tif 000012
【図１１】
2006148952.tif 000013
【図１２】
2006148952.tif 000014
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
撮像素子で取込んだ画像を所望のタイミングで撮像／記録する撮像装置において、
撮像時に、基準時間に基づく基準撮像日時を画像データと対応させて登録する基準撮像日時登録手段と、
基準時間に対する複数の撮影場所の時差を記憶する時差記憶手段と、
撮影場所を指定する撮影場所指定手段と、
撮影場所指定手段によって指定された撮影場所に基づき、前記基準撮像日時と前記撮影場所の時差から該撮影場所での撮像日時を算出する撮影場所基準撮像日時計算手段と、を備え、
前記算出した撮影場所基準撮像日時を再生画像と共に表示することを特徴とする撮像装置。
【請求項２】
画像再生時に、前記算出した撮影場所基準撮像日時および基準撮像日時を再生画像と共に表示するように構成したことを特徴とする請求項１に記載の撮像装置。
【請求項３】
さらに画像の撮像時または撮像後の任意のタイミングで当該画像の撮影場所が指定されたとき、指定された撮影場所を該画像と関連づけて登録する撮影場所登録手段を備えることを特徴とする請求項１に記載の撮像装置。
【請求項４】
撮像素子で取込んだ画像を所望のタイミングで撮像／記録し、
基準時間を設定しこれに基づいた基準撮像日時を画像データと対応させて登録し、
上記画像の撮影場所を該画像と関連づけて登録し、
上記基準撮像日時と撮影場所からその場所での撮影日時を算出し、
算出した撮影場所基準撮影日時を再生画像と共に表示することを特徴とする撮像日時表示方法。
【手続補正２】
【補正対象書類名】明細書
【補正対象項目名】０００８
【補正方法】変更
【補正の内容】
【０００８】
上記の目的を達成するために第１の発明の撮像装置は、撮像素子で取込んだ画像を所望のタイミングで撮像／記録する撮像装置において、撮像時に、基準時間に基づく基準撮像日時を画像データと対応させて登録する基準撮像日時登録手段と、基準時間に対する複数の撮影場所の時差を記憶する時差記憶手段と、撮影場所を指定する撮影場所指定手段と、撮影場所指定手段によって指定された撮影場所に基づき、前記基準撮像日時と前記撮影場所の時差から該撮影場所での撮像日時を算出する撮影場所基準撮像日時計算手段と、を備え、前記算出した撮影場所基準撮像日時を再生画像と共に表示することを特徴とする。
【手続補正３】
【補正対象書類名】明細書
【補正対象項目名】００１０
【補正方法】変更
【補正の内容】
【００１０】
また本発明の撮像日時表示方法は、撮像素子で取込んだ画像を所望のタイミングで撮像／記録し、準時間を設定しこれに基づいた基準撮像日時を画像データと対応させて登録し、上記画像の撮影場所を該画像と関連づけて登録し、上記基準撮像日時と撮影場所からその場所での撮影日時を算出し、算出した撮影場所基準撮影日時を再生画像又は基準撮像日時を、再生画像と共に表示することを特徴とする。